(57)【特許請求の範囲】
【請求項１】
本体と、
前記本体に伸縮可能かつ回転可能に設けられ、外周形状が円柱状であり、導通対象である相手側端子と接触可能な充電端子と、
前記充電端子を回転させる充電端子回転手段と、
を有し、
前記充電端子回転手段は、
前記充電端子が１回往復伸縮する度に所定の角度だけ前記充電端子を回転させる手段であり、
前記本体の、前記充電端子の周囲に固定され、互いに対向して設けられた円筒状の第１鋸歯状カムおよび第２鋸歯状カムをそれぞれ有する上段歯車および下段歯車と、
前記上段歯車と前記下段歯車の間に位置するように前記充電端子の外周に固定され、上下端に前記第１鋸歯状カムおよび前記第２鋸歯状カムとそれぞれ係合可能な第３鋸歯状カムと第４鋸歯状カムを有する円筒状の中段歯車と、
を有し、
前記充電端子が縮むと前記第２鋸歯状カムと前記第４鋸歯状カムが係合し、前記充電端子が伸びると前記第１鋸歯状カムが前記第３鋸歯状カムと係合することにより所定の角度だけ前記充電端子が回転することを特徴とする充電機構。
【請求項２】
前記充電端子は、前記相手側端子と角度をもって接触可能に傾斜して設けられていることを特徴とする請求項１記載の充電機構。
【請求項３】
前記中段歯車は、前記第２鋸歯状カムと前記第４鋸歯状カムが係合した状態で、前記第１鋸歯状カムと前記第３鋸歯状カムの位相が異なるように配置されていることを特徴とする請求項１に記載の充電機構。
【請求項４】
前記充電端子を押圧する押圧手段を有し、
前記押圧手段は、前記充電端子を、前記本体から突出する向きに押圧する手段であることを特徴とする請求項１〜３のいずれか一項に記載の充電機構。
【請求項５】
前記本体は、
伸縮可能かつ回転可能な回転ベースと、
前記回転ベースを回転させる回転ベース回転手段と、
を有し、
前記充電端子は、前記回転ベースに設けられ、
前記回転ベース回転手段は、前記回転ベースが１回往復伸縮する度に所定の角度だけ前記回転ベースを回転させる手段であることを特徴とする請求項１〜４のいずれか一項に記載の充電機構。
【請求項６】
前記回転ベースは外周形状が円柱状であり、
前記回転ベース回転手段は、
前記本体の、前記回転ベースの周囲に固定され、互いに対向して設けられた円筒状の回転ベース第１鋸歯状カムおよび回転ベース第２鋸歯状カムをそれぞれ有する回転ベース上段歯車および回転ベース下段歯車と、
前記回転ベース上段歯車と前記回転ベース下段歯車の間に位置するように前記回転ベースの外周に固定され、上下端に前記回転ベース第１鋸歯状カムおよび前記回転ベース第２鋸歯状カムとそれぞれ係合可能な回転ベース第３鋸歯状カムと回転ベース第４鋸歯状カムを有する円筒状の回転ベース中段歯車と、
を有し、
前記回転ベースが縮むと前記回転ベース第２鋸歯状カムと前記回転ベース第４鋸歯状カムが係合し、前記回転ベースが伸びると前記回転ベース第１鋸歯状カムが前記回転ベース第３鋸歯状カムと係合することにより所定の角度だけ前記回転ベースが回転することを特徴とする請求項５に記載の充電機構。
【請求項７】
前記回転ベース中段歯車は、前記回転ベース第２鋸歯状カムと前記回転ベース第４鋸歯状カムが係合した状態で、前記回転ベース第１鋸歯状カムと前記回転ベース第３鋸歯状カムの位相が異なるように配置されていることを特徴とする請求項６に記載の充電機構。
【請求項８】
前記回転ベースを押圧する回転ベース押圧手段を有し、
前記回転ベース押圧手段は、前記回転ベースを、前記本体から突出する向きに押圧する手段であることを特徴とする請求項５〜７のいずれか一項に記載の充電機構。
【請求項９】
請求項１〜８のいずれか一項に記載の充電機構を有することを特徴とする充電器。
【発明の詳細な説明】
【技術分野】
【０００１】
本発明は充電機構および当該充電機構を備えた充電器に関する。
【背景技術】
【０００２】
携帯電話等の充電器には、クレードルと呼ばれる充電台に充電端子を設け、充電端子を充電対象物に設けられた充電端子板と接触させることにより、充電器と充電対象物を導通させ、接触充電を行っている充電構造がある。
【０００３】
このような構造においては、充電の際、クレードルに充電対象物を載置する度に充電端子が充電端子板との接触により磨耗していくため、充電回数が増えると充電不良となる場合がある。
【０００４】
より具体的には、一般的には充電端子には金メッキ等の導電層がコーティングしてあるが、充電対象物の充電器への着脱の繰り返しで導電層が磨耗していき、母材がむき出しになると充電不良となる。
【０００５】
特に、上記構造では、充電端子と充電端子板との接触部分が常に特定の箇所であるため、特定箇所のみの導電層が集中的に磨耗（偏磨耗）してしまい、早期に充電不良となってしまう場合がある。
【０００６】
また、充電端子と充電端子板との接触部分が常に特定の箇所であると、当該箇所にゴミの付着や腐食等が発生した場合、他の部分に問題がなくても早期に充電不良となる。
【０００７】
さらに、上記した充電不良が生じた際は、充電端子の交換はユーザーが行えるものではないため、充電端子の交換をメーカに依頼するか、あるいは充電台ごと交換する必要があった。
【０００８】
そのため、早期に充電不良となるのを防ぎ、充電端子の寿命を延ばすための構造が必要となる。
【０００９】
このような構造としては、充電端子を押圧により伸縮可能な構造とし、伸縮の際に端子を回転させることにより、接触部のゴミや腐食等を除去する構造がある（特許文献１、２）。
【００１０】
また、特定箇所の集中的な磨耗を防ぐ構造としては、シャープペンシルの芯を押圧によって回転させる構造が知られている（特許文献３、４）。
【先行技術文献】
【特許文献】
【００１１】
【特許文献１】特開２０００−１８２６８５号公報
【特許文献２】特開２００３−１０９６９８号公報
【特許文献３】特開２００９−１０７１３５号公報
【特許文献４】特開２００９−１６０７３６号公報
【発明の概要】
【発明が解決しようとする課題】
【００１２】
しかしながら、特許文献１、２の構造では、充電端子と充電端子板との接触部分のゴミや腐食を除去することはできても、充電端子と充電端子板との接触部分の位置は変わらないため、充電端子の偏磨耗を防止することはできないという問題があった。
【００１３】
また、特許文献３、４の構造は、シャープペンシルの芯の偏磨耗防止の機構であり、当然ながら充電器の充電端子の偏磨耗防止については何ら言及されていない。
【００１４】
本発明は上記課題に鑑みてなされたものであり、その目的は、従来よりも端子寿命を長くすることが可能な充電機構を提供することにある。
【課題を解決するための手段】
【００１５】
前述した目的を達成するために、本発明の第１の態様は、本体と、前記本体に伸縮可能かつ回転可能に設けられ、導通対象である相手側端子と接触可能な充電端子と、前記充電端子を回転させる充電端子回転手段と、を有し、前記充電端子回転手段は、前記充電端子が１回往復伸縮する度に所定の角度だけ前記充電端子を回転させる手段であることを特徴とする充電機構である。
【００１６】
本発明の第２の態様は、第１の態様に記載の充電機構を有することを特徴とする充電器である。
【発明の効果】
【００１７】
本発明によれば、従来よりも端子寿命を長くすることが可能な充電機構を提供することができる。
【図面の簡単な説明】
【００１８】
【図１】充電機構１００の外観を示す斜視図である。
【図２】充電機構１００と装置側充電部２００の外観を示す斜視図である。
【図３】充電機構１００の充電端子７付近の内部側面図である。
【図４】図３において、充電端子７に外力が加えられていない状態を示す図である。
【図５】充電が行われる際の充電端子７の動作を示す図である。
【図６】充電が行われる際の充電端子７の動作を示す図である。
【図７】充電が行われる際の充電端子７の動作を示す図である。
【図８】充電が終了した後の充電端子７の動作を示す図である。
【図９】充電が終了した後の充電端子７の動作を示す図である。
【図１０】充電が行われる際の充電端子７の充電端子板１１との接触部を示す斜視図である。
【図１１】充電機構１００ａの外観を示す斜視図である。
【図１２】充電機構１００ａの外観を示す正面図および側面図であって、（ａ）は充電前、（ｂ）は（ａ）の状態から１回充電を行った後の状態を示す図である。
【図１３】充電機構１００ａの回転ベース４１付近の内部側面図である。
【図１４】図１３において、回転ベース４１に外力が加えられていない状態を示す図である。
【図１５】充電が行われる際の回転ベース４１の動作を示す図である。
【図１６】充電が行われる際の回転ベース４１の動作を示す図である。
【図１７】充電が終了した後の回転ベース４１の動作を示す図である。
【図１８】充電が終了した後の回転ベース４１の動作を示す図である。
【発明を実施するための形態】
【００１９】
以下、図面に基づいて本発明に好適な実施形態を詳細に説明する。
【００２０】
まず、図１〜３を参照して第１の実施形態に係る充電機構１００の概略構造について説明する。
【００２１】
図１〜３に示すように、充電機構１００は、本体３と、本体３に設けられた傾斜部５と、傾斜部５に設けられた２本の充電端子７と、充電端子７を回転させる充電端子回転手段１を有している。
【００２２】
充電機構１００は、ここでは充電器の、充電対象物との接触部を構成している。
【００２３】
また、図２に示すように、第１の実施形態においては、充電対象物である携帯電話等の装置側充電部２００に充電端子板１１（導通対象である相手側端子）が設けられており、図２の白矢印Ａの向きに装置側充電部２００を移動させ、充電端子板１１を充電端子７に接触させることにより、充電機構１００と装置側充電部２００が電気的に接続される。
【００２４】
次に、図３および図４を参照して、充電端子７付近の構造の詳細について説明する。
【００２５】
なお、図３は、充電対象物を充電器に載置していない状態（図４）から、充電対象物を充電器に載置した状態（図６）へ、もしくは、その逆の移行途中の状態を示している。
【００２６】
図３および図４に示すように、充電端子７は外周形状が円柱形状であり、上端面１３は面取りされて面取面１５を形成している。
【００２７】
また、充電端子７の底面（下端面）には押圧手段としてのバネ２１が設けられている。バネ２１は充電端子７を図４の白矢印Ｂの向き、即ち本体３から突出する向きに押圧している。
【００２８】
また、図３に示すように、充電端子７の周囲には、互いに対向して設けられた上段歯車２３および下段歯車２５が設けられている。
【００２９】
上段歯車２３および下段歯車２５は（本体３に）固定されており、回転しないようになっている。
【００３０】
上段歯車２３および下段歯車２５は互いに対向して設けられた円筒状の第１鋸歯状カム２９および第２鋸歯状カム３７をそれぞれ有している。
【００３１】
さらに、充電端子７の外周には、上段歯車２３と下段歯車２５の間に位置するように円筒状の中段歯車２７が固定されている。
【００３２】
中段歯車２７は上端に、第１鋸歯状カム２９と対向するようにして第１鋸歯状カム２９と係合可能な第３鋸歯状カム３１を有しており、さらに、下端に、第２鋸歯状カム３７と対向するようにして第２鋸歯状カム３７と係合可能な第４鋸歯状カム３３を有している。
【００３３】
なお、前述のように、充電端子７の底面にはバネ２１が設けられているため、充電端子７にバネ２１以外の外力が加えられていない状態では、図４に示すように、充電端子７はバネ２１によって図４の白矢印Ｂの向きに押圧され、第１鋸歯状カム２９と第３鋸歯状カム３１が係合しており、充電端子７の先端は本体３の外部に突出している。
【００３４】
ここで、上段歯車２３、下段歯車２５および中段歯車２７で充電端子回転手段１を構成しており、後述するように、充電端子７が１回往復伸縮すると、中段歯車２７が下段歯車２５および上段歯車２３と係合することにより、所定の角度だけ充電端子７が回転する。
【００３５】
次に、図４を参照して、第１鋸歯状カム２９、第２鋸歯状カム３７、第３鋸歯状カム３１、第４鋸歯状カム３３の形状についてより詳細に説明する。
【００３６】
まず、図４から明らかなように、第１鋸歯状カム２９と第３鋸歯状カム３１のピッチは、第２鋸歯状カム３７と第４鋸歯状カム３３のピッチよりも狭くなっている。
【００３７】
具体的には、第２鋸歯状カム３７と第４鋸歯状カム３３のピッチは、第１鋸歯状カム２９と第３鋸歯状カム３１のピッチの整数倍となっている。
【００３８】
また、上段歯車２３、下段歯車２５、及び中段歯車２７は、第２鋸歯状カム３７と第４鋸歯状カム３３が係合した状態（図６参照）で、第１鋸歯状カム２９と第３鋸歯状カム３１の位相が異なる（歯の先端が一致しない）ように配置され、かつ、第１鋸歯状カム２９と第３鋸歯状カム３１が係合した状態（図４参照）で、第２鋸歯状カム３７と第４鋸歯状カム３３の位相が異なる（歯の先端が一致しない）ように配置されている。
【００３９】
詳細は後述するが、第１鋸歯状カム２９、第２鋸歯状カム３７、第３鋸歯状カム３１、第４鋸歯状カム３３の形状と配置をこのようにすることにより、充電端子７が１回往復伸縮すると、中段歯車２７が下段歯車２５および上段歯車２３と係合することにより、所定の角度だけ充電端子７が回転する。
【００４０】
なお、第１鋸歯状カム２９と第３鋸歯状カム３１のピッチは、第２鋸歯状カム３７と第４鋸歯状カム３３のピッチと同じでもよいが、この場合でも中段歯車２７は、第２鋸歯状カム３７と第４鋸歯状カム３３が係合した状態で、第１鋸歯状カム２９と第３鋸歯状カム３１の位相が異なるように配置され、かつ、第１鋸歯状カム２９と第３鋸歯状カム３１が係合した状態で、第２鋸歯状カム３７と第４鋸歯状カム３３の位相が異なるように配置されている。
【００４１】
次に、図２〜図１０を参照して、充電時の充電端子７の動作について説明する。
【００４２】
まず、図２に示す状態、即ち充電端子７と充電端子板１１が接触しておらず、充電端子７に（バネ２１以外の）外力が加えられていない状態では、図４に示すように、充電端子７はバネ２１によって図４の白矢印Ｂの向きに押圧され、第１鋸歯状カム２９と第３鋸歯状カム３１が係合している。
【００４３】
次に、この状態から図２の白矢印Ａの向きに装置側充電部２００を移動させ、充電端子板１１を充電端子７に接触させると、充電機構１００と装置側充電部２００が電気的に接続されるとともに、充電端子７が充電端子板１１に押圧され、充電端子７はバネ２１の弾性力に逆らって図４の白矢印Ｃの向きに移動して押し縮められて、図５に示すように、第２鋸歯状カム３７と第４鋸歯状カム３３が接触し、時計周り（図６の白矢印Ｄの向き）に回転しながら図６に示すように係合する。
【００４４】
そのため、充電端子７は時計回りに回転する。具体的には、充電端子７は、第４鋸歯状カム３３の歯先が第２鋸歯状カム３７に接触した時から回転し始め、図６の状態となった時に回転を停止する。この間の角度をＸ１とする。
【００４５】
この状態で充電が行われる。
【００４６】
なお、前述のように、充電端子７は傾斜部５に設けられており、充電端子板１１に対して傾斜した状態で（角度を持って）接触するため、図７に示すように、充電端子７の先端は接触位置７１（第１鋸歯状カム２９と第３鋸歯状カム３１が係合した状態における充電端子７の接触位置）から接触位置７３（第４鋸歯状カム３３と第２鋸歯状カム３７が係合した状態における充電端子７の接触位置）の間のクリーニングエリア７５の充電端子板１１の表面を摺動する。そのため、充電端子７の先端および充電端子板１１の表面に付着していたゴミ等が除去され、セルフクリーニングがなされる。
【００４７】
次に、充電が終了して装置側充電部２００が充電機構１００から取り外されると、充電端子板１１の充電端子７への押圧が解除されるため、充電端子７はバネ２１の弾性力によって図８の白矢印Ｂの向きに移動して、第１鋸歯状カム２９と第３鋸歯状カム３１が接触して係合する。
【００４８】
ここで、第１鋸歯状カム２９と第３鋸歯状カム３１のピッチは第２鋸歯状カム３７と第４鋸歯状カム３３のピッチよりも狭くなっており、かつ、第２鋸歯状カム３７と第４鋸歯状カム３３が係合した状態で、第１鋸歯状カム２９と第３鋸歯状カム３１の位相が異なるように配置されているため、第１鋸歯状カム２９と第３鋸歯状カム３１が係合する際は、さらに時計周り（図９の白矢印Ｄの向き）に回転し、充電端子７は時計回りに回転する（反時計周りに回転して戻ることはない）。具体的には、充電端子７は、第３鋸歯状カム３１の歯先が第１鋸歯状カム２９に接触した時から回転し始め、図４の状態となった時に回転を停止する。この間の角度をＸ２とする。
【００４９】
即ち、充電端子７は、押圧および押圧の解除により１回往復伸縮することにより、所定の角度（Ｘ１＋Ｘ２）だけ回転する。
【００５０】
そのため、次回の充電時には、充電端子７の、前回の充電時とは異なる場所が充電端子板１１と接触するため、充電端子７の偏磨耗が防止される。
【００５１】
より具体的に説明すると、まず、従来は充電端子７は充電端子板１１に垂直に接触していたため、接触面は図１０（ａ）（ｂ）に示すように上端面１３になっていた。
【００５２】
しかしながら、第１の実施形態では、充電端子７は傾斜部５上に設けられているため、接触部は図１０（ｃ）（ｄ）に示すように、面取面１５の一部である、一部接触部１７になる。
【００５３】
さらに、充電端子７は前述のとおり、充電の度に所定の角度だけ回転するため、一部接触部１７は充電の度に異なる面となり、同じ面になるのは充電端子７が一回転した後になる。
【００５４】
そのため、充電の度に特定の一部接触部１７が充電端子板１１と接触し続ける構造と比べて、面取面１５の偏磨耗を防止でき、充電端子１７の寿命を延ばすことができる。
【００５５】
このように、第１の実施形態によれば、充電機構１００は、本体３と、本体３に設けられた傾斜部５と、傾斜部５に設けられた伸縮可能な充電端子７と、充電端子７を回転させる充電端子回転手段１を有し、充電端子７は、１回往復伸縮すると、充電端子回転手段１により所定の角度だけ回転する。
【００５６】
そのため、充電端子７の偏磨耗を防止でき、従来よりも充電機構１００の寿命を延ばすことができる。
【００５７】
また、第１の実施形態によれば、充電端子７は傾斜部５上に設けられており、充電端子板１１に対して傾斜した状態で接触するため、接触の際に充電端子７の先端は、接触位置７１から接触位置７３の間、充電端子板１１の表面を摺動する。
【００５８】
そのため、充電端子板１１の表面に付着していたゴミ等が除去され、セルフクリーニングがなされる。
【００５９】
さらに、第１の実施形態によれば、充電端子板１１は従来のものを使用することができる。
【００６０】
そのため、装置側充電部２００は従来のものをそのまま使用することができる。
【００６１】
次に、第２の実施形態について、図１１〜図１８を参照して説明する。
【００６２】
第２の実施形態は、第１の実施形態において、伸縮、回転可能な回転ベース４１上に充電端子７ａ、７ｂを設け、充電端子７ａ、７ｂを自転および公転可能にしたものである。
【００６３】
なお、第２の実施形態において、第１の実施形態と同様の機能を果たす要素については同一の番号を付し、説明を省略する。
【００６４】
まず、図１１〜図１４を参照して充電機構１００ａの構造について説明する。
【００６５】
なお、図１２は、充電対象物を充電器に載置していない状態（図１４）から、充電対象物を充電器に載置した状態（図１６）へ、もしくは、その逆の移行途中の状態を示している。
【００６６】
図１１および図１２に示すように、充電機構１００ａの本体３は傾斜部５に回転ベース４１を有しており、回転ベース４１上に充電端子７ａ、７ｂが設けられている。
【００６７】
図１３および図１４に示すように、回転ベース４１は充電端子７と同様に伸縮、回転可能になっている。
【００６８】
即ち、図１３に示すように回転ベース４１は外周形状が円柱形状であり、底面には回転ベース押圧手段としてのバネ５９が設けられている。バネ５９は回転ベース４１を図１３の白矢印Ｂの向きに押圧している。
【００６９】
また、図１３に示すように、回転ベース４１の周囲には、互いに対向して設けられた回転ベース上段歯車４３および回転ベース下段歯車４５が設けられている。
【００７０】
回転ベース上段歯車４３および回転ベース下段歯車４５は（本体３に）固定されており、回転しないようになっている。
【００７１】
回転ベース上段歯車４３および回転ベース下段歯車４５は互いに対向して設けられた円筒状の回転ベース第１鋸歯状カム４９および回転ベース第２鋸歯状カム５７をそれぞれ有している。
【００７２】
さらに、回転ベース４１の外周には、回転ベース上段歯車４３と回転ベース下段歯車４５の間に位置するように円筒状の回転ベース中段歯車４７が固定されている。
【００７３】
回転ベース中段歯車４７は上端に、回転ベース第１鋸歯状カム４９と対向するようにして回転ベース第１鋸歯状カム４９と係合可能な回転ベース第３鋸歯状カム５１を有しており、さらに、下端に、回転ベース第２鋸歯状カム５７と対向するようにして回転ベース第２鋸歯状カム５７と係合可能な回転ベース第４鋸歯状カム５３を有している。
【００７４】
なお、前述のように、回転ベース４１の底面にはバネ５９が設けられているため、回転ベース４１に（バネ５９以外の）外力が加えられていない状態では、図１４に示すように、回転ベース４１はバネ５９によって図１４の白矢印Ｂの向き（本体３から突出する向き）に押圧され、回転ベース第１鋸歯状カム４９と回転ベース第３鋸歯状カム５１が係合している。
【００７５】
また、回転ベース上段歯車４３、回転ベース下段歯車４５、回転ベース中段歯車４７で回転ベース回転手段１ａを構成しており、後述するように、回転ベース４１が１回往復伸縮すると、回転ベース中段歯車４７が回転ベース下段歯車４５および回転ベース上段歯車４３と係合することにより、所定の角度だけ回転ベース４１が回転する。
【００７６】
さらに、充電端子７ａ、７ｂは回転ベース４１上に設けられており、第１の実施形態に係る充電端子７と同様の回転、伸縮機構を有しているため、回転ベース４１が１回往復伸縮すると、所定の角度だけ自転および公転する。
【００７７】
次に、図１４を参照して、回転ベース第１鋸歯状カム４９、回転ベース第２鋸歯状カム５７、回転ベース第３鋸歯状カム５１、回転ベース第４鋸歯状カム５３の形状についてより詳細に説明する。
【００７８】
まず、図１４から明らかなように、回転ベース第１鋸歯状カム４９と回転ベース第３鋸歯状カム５１のピッチは、回転ベース第２鋸歯状カム５７と回転ベース第４鋸歯状カム５３のピッチよりも狭くなっている。
【００７９】
具体的には、回転ベース第２鋸歯状カム５７と回転ベース第４鋸歯状カム５３のピッチは、回転ベース第１鋸歯状カム４９と回転ベース第３鋸歯状カム５１のピッチの整数倍となっている。
【００８０】
また、回転ベース上段歯車４３、回転ベース下段歯車４５、及び回転ベース中段歯車４７は、回転ベース第２鋸歯状カム５７と回転ベース第４鋸歯状カム５３が係合した状態（図１６参照）で、回転ベース第１鋸歯状カム４９と回転ベース第３鋸歯状カム５１の位相が異なる（歯の先端が一致しない）ように配置され、かつ、回転ベース第１鋸歯状カム４９と回転ベース第３鋸歯状カム５１が係合した状態（図１４参照）で、回転ベース第２鋸歯状カム５７と回転ベース第４鋸歯状カム５３の位相が異なる（歯の先端が一致しない）ように配置されている。
【００８１】
詳細は後述するが、回転ベース第１鋸歯状カム４９、回転ベース第２鋸歯状カム５７、回転ベース第３鋸歯状カム５１、回転ベース第４鋸歯状カム５３の形状と配置をこのようにすることにより、回転ベース４１の伸縮によって、回転ベース中段歯車４７が回転ベース上段歯車４３および回転ベース下段歯車４５と係合することにより、回転ベース４１が１回往復伸縮すると、所定の角度だけ回転ベース４１が回転する。
【００８２】
なお、回転ベース第１鋸歯状カム４９と回転ベース第３鋸歯状カム５１のピッチは、回転ベース第２鋸歯状カム５７と回転ベース第４鋸歯状カム５３のピッチと同じでもよいが、この場合でも回転ベース中段歯車４７は、回転ベース第２鋸歯状カム５７と回転ベース第４鋸歯状カム５３が係合した状態で、回転ベース第１鋸歯状カム４９と回転ベース第３鋸歯状カム５１の位相が異なるように配置され、かつ、回転ベース第１鋸歯状カム４９と回転ベース第３鋸歯状カム５１が係合した状態で、回転ベース第２鋸歯状カム５７と回転ベース第４鋸歯状カム５３の位相が異なるように配置されている。
【００８３】
次に、図４〜図１８を参照して、充電時の回転ベース４１および充電端子７ａ、７ｂの動作について説明する。
【００８４】
まず、充電端子７ａ、７ｂと充電端子板１１が接触しておらず、充電端子７ａ、７ｂに外力が加えられていない状態では、図１４に示すように、回転ベース４１はバネ５９によって図１４の白矢印Ｂの向きに押圧され、回転ベース第１鋸歯状カム４９と回転ベース第３鋸歯状カム５１が係合している。
【００８５】
同様に、充電端子７ａ、７ｂはバネ２１によって押圧され、第１鋸歯状カム２９と第３鋸歯状カム３１が係合している（図４参照）。
【００８６】
次に、この状態から図１５の白矢印Ｃの向きに装置側充電部２００を移動させ、充電端子板１１を充電端子７ａ、７ｂに接触させると、充電機構１００ａと装置側充電部２００が電気的に接続され、充電が行われるとともに、充電端子７ａ、７ｂが充電端子板１１に押圧される。
【００８７】
押圧された充電端子７ａ、７ｂはバネ２１の弾性力に逆らって図４の白矢印Ｃの向きに移動し、図５に示すように、第２鋸歯状カム３７と第４鋸歯状カム３３が接触し、時計周りに回転しながら図６に示すように係合する。
【００８８】
そのため、充電端子７ａ、７ｂは時計回りに回転する。
【００８９】
同時に、回転ベース４１も押圧され、バネ５９の弾性力に逆らって図１５の白矢印Ｃの向きに移動し、図１５に示すように、回転ベース第２鋸歯状カム５７と回転ベース第４鋸歯状カム５３が接触し、時計周り（図１６のＤの向き）に回転しながら図１６に示すように係合する。具体的には、回転ベース４１は、回転ベース第４鋸歯状カム５３の歯先が回転ベース第２鋸歯状カム５７に接触した時から回転し始め、図１６の状態となった時に回転を停止する。この間の角度をＹ１とする。
【００９０】
そのため、充電端子７ａ、７ｂは自転しつつ、回転ベース４１の回転角度分だけ、回転ベース４１上を公転する。
【００９１】
次に、充電が終了して装置側充電部２００が充電機構１００ａから取り外されると、充電端子７ａ、７ｂへの充電端子板１１の押圧が解除されるため、充電端子７ａ、７ｂはバネ２１の外力によって図８の白矢印Ｂの向きに移動して、図９に示すように第３鋸歯状カム３１と第１鋸歯状カム２９が接触して係合する。
【００９２】
そのため、充電端子７ａ、７ｂは時計回りに回転する。
【００９３】
同時に、回転ベース４１はバネ５９の外力によって図１７の白矢印Ｂの向きに移動して図１８に示すように、回転ベース第１鋸歯状カム４９と回転ベース第３鋸歯状カム５１が接触して係合する。この際、回転ベース４１は、回転ベース第３鋸歯状カム５１の歯先が回転ベース第１鋸歯状カム４９に接触した時から回転し始め、図１４の状態となった時に回転を停止する。この間の角度をＹ２とする。
【００９４】
ここで、回転ベース第３鋸歯状カム５１と回転ベース第１鋸歯状カム４９のピッチは、回転ベース第２鋸歯状カム５７と回転ベース第４鋸歯状カム５３のピッチよりも狭くなっており、かつ、回転ベース第２鋸歯状カム５７と回転ベース第４鋸歯状カム５３が係合した状態で、回転ベース第１鋸歯状カム４９と回転ベース第３鋸歯状カム５１の位相が異なるように配置されているため、回転ベース第１鋸歯状カム４９と回転ベース第３鋸歯状カム５１が係合する際は、さらに時計周り（図１８のＤの向き）に回転し、回転ベース４１は時計回りに回転する（反時計周りに回転して戻ることはない）。
【００９５】
即ち、回転ベース４１は、押圧および押圧の解除により１回往復伸縮することにより、所定の角度（Ｙ１＋Ｙ２）だけ回転し、それに伴い、回転ベース４１上の充電端子７ａ、７ｂも回転ベース４１上を公転し、図１２（ａ）に示す位置から図１２（ｂ）に示す位置へと位置が移動する。
【００９６】
そのため、次回の充電時には、充電端子７ａ、７ｂの、前回充電時とは異なる場所が充電端子板１１と接触するため、充電端子７ａ、７ｂの偏磨耗が防止される。
【００９７】
このように、第２の実施形態によれば、充電機構１００は、本体３と、本体３に設けられた傾斜部５と、傾斜部５に設けられた伸縮可能な２本の充電端子７ａ、７ｂと、充電端子７を回転させる充電端子回転手段１を有し、充電端子７ａ、７ｂは、１回往復伸縮すると、回転ベース回転手段１ａにより所定の角度だけ回転する。
【００９８】
そのため、充電端子７ａ、７ｂの偏磨耗を防止でき、充電機構１００ａの寿命を延ばすことができる。
【００９９】
また、第２の実施形態によれば、充電機構１００は、本体３の傾斜部５に設けられた回転ベース４１と、回転ベース４１を回転させる回転ベース回転手段１ａを有し、充電端子７ａ、７ｂは、回転ベース４１に設けられ、回転ベース４１と充電端子７ａ、７ｂが１回往復伸縮すると、充電端子７ａ、７ｂは所定の角度だけ自転（回転）および公転する。
【０１００】
そのため、第１の実施形態と比較して、さらに充電端子７ａ、７ｂの偏磨耗を防止でき、充電機構１００ａの寿命を延ばすことができる。
【０１０１】
また、上記した実施形態では、充電機構１００を充電器側に、充電端子板１１を携帯電話（充電対象物）側に配置した場合について説明したが、充電機構１００を充電対象物側に、充電端子板１１を充電器側に配置してもよい。
【０１０２】
上記した実施形態の一部または全部は、以下の付記のようにも記載されうるが、以下には限られない。
【０１０３】
（付記１）
本体と、前記本体に伸縮可能かつ回転可能に設けられ、導通対象である相手側端子と接触可能な充電端子と、前記充電端子を回転させる充電端子回転手段と、を有し、前記充電端子回転手段は、前記充電端子が１回往復伸縮する度に所定の角度だけ前記充電端子を回転させる手段であることを特徴とする充電機構。
【０１０４】
（付記２）
前記充電端子は、前記相手側端子と角度をもって接触可能に傾斜して設けられていることを特徴とする付記１記載の充電機構。
【０１０５】
（付記３）
前記充電端子は外周形状が円柱状であり、前記充電端子回転手段は、前記本体の、前記充電端子の周囲に固定され、互いに対向して設けられた円筒状の第１鋸歯状カムおよび第２鋸歯状カムをそれぞれ有する上段歯車および下段歯車と、前記上段歯車と前記下段歯車の間に位置するように前記充電端子の外周に固定され、上下端に前記第１鋸歯状カムおよび前記第２鋸歯状カムとそれぞれ係合可能な第３鋸歯状カムと第４鋸歯状カムを有する円筒状の中段歯車と、を有し、前記充電端子が縮むと前記第２鋸歯状カムと前記第４鋸歯状カムが係合し、前記充電端子が伸びると前記第１鋸歯状カムが前記第３鋸歯状カムと係合することにより所定の角度だけ前記充電端子が回転することを特徴とする付記１または付記２のいずれかに記載の充電機構。
【０１０６】
（付記４）
前記第１鋸歯状カムと前記第３鋸歯状カムのピッチは、前記第２鋸歯状カムと前記第４鋸歯状カムのピッチよりも狭いことを特徴とする付記３記載の充電機構。
【０１０７】
（付記５）
前記第２鋸歯状カムと前記第４鋸歯状カムのピッチは、前記第１鋸歯状カムと前記第３鋸歯状カムのピッチの整数倍であることを特徴とする付記４記載の充電機構。
【０１０８】
（付記６）
前記中段歯車は、前記第２鋸歯状カムと前記第４鋸歯状カムが係合した状態で、前記第１鋸歯状カムと前記第３鋸歯状カムの位相が異なるように配置されていることを特徴とする付記３〜５のいずれかに記載の充電機構。
【０１０９】
（付記７）
前記充電端子を押圧する押圧手段を有し、
前記押圧手段は、前記充電端子を、前記本体から突出する向きに押圧する手段であることを特徴とする付記１〜６のいずれかに記載の充電機構。
【０１１０】
（付記８）
前記押圧手段はバネであることを特徴とする付記７記載の充電機構。
【０１１１】
（付記９）
前記充電端子は、上端に面取りされた面取面を有し、
前記面取面が前記相手側端子と接触可能に構成されていることを特徴とする付記３〜８のいずれかに記載の充電機構。
【０１１２】
（付記１０）
前記本体は、伸縮可能かつ回転可能に設けられた回転ベースと、前記回転ベースを回転させる回転ベース回転手段と、を有し、前記充電端子は、前記回転ベースに設けられ、前記回転ベース回転手段は、前記回転ベースが１回往復伸縮する度に所定の角度だけ前記回転ベースを回転させる手段であることを特徴とする付記１〜９のいずれかに記載の充電機構。
【０１１３】
（付記１１）
前記回転ベースは外周形状が円柱状であり、前記回転ベース回転手段は、前記本体の、前記回転ベースの周囲に固定され、互いに対向して設けられた円筒状の回転ベース第１鋸歯状カムおよび回転ベース第２鋸歯状カムをそれぞれ有する回転ベース上段歯車および回転ベース下段歯車と、前記回転ベース上段歯車と前記回転ベース下段歯車の間に位置するように前記回転ベースの外周に固定され、上下端に前記回転ベース第１鋸歯状カムおよび前記回転ベース第２鋸歯状カムとそれぞれ係合可能な回転ベース第３鋸歯状カムと回転ベース第４鋸歯状カムを有する円筒状の回転ベース中段歯車と、を有し、前記回転ベースが縮むと前記回転ベース第２鋸歯状カムと前記回転ベース第４鋸歯状カムが係合し、前記回転ベースが伸びると前記回転ベース第１鋸歯状カムが前記回転ベース第３鋸歯状カムと係合することにより所定の角度だけ前記回転ベースが回転することを特徴とする付記１０に記載の充電機構。
【０１１４】
（付記１２）
前記回転ベース第１鋸歯状カムと前記回転ベース第３鋸歯状カムのピッチは、前記回転ベース第２鋸歯状カムと前記第４回転ベース鋸歯状カムのピッチよりも狭いことを特徴とする付記１１記載の充電機構。
【０１１５】
（付記１３）
前記回転ベース第２鋸歯状カムと前記第４回転ベース鋸歯状カムのピッチは、前記回転ベース第１鋸歯状カムと前記回転ベース第３鋸歯状カムのピッチの整数倍であることを特徴とする付記１２記載の充電機構。
【０１１６】
（付記１４）
前記回転ベース中段歯車は、前記回転ベース第２鋸歯状カムと前記回転ベース第４鋸歯状カムが係合した状態で、前記回転ベース第１鋸歯状カムと前記回転ベース第３鋸歯状カムの位相が異なるように配置されていることを特徴とする付記１０〜１３のいずれかに記載の充電機構。
【０１１７】
（付記１５）
前記回転ベースを押圧する回転ベース押圧手段を有し、
前記回転ベース押圧手段は、前記回転ベースを、前記本体から突出する向きに押圧する手段であることを特徴とする付記１０〜１４のいずれかに記載の充電機構。
【０１１８】
（付記１６）
前記回転ベース押圧手段はバネであることを特徴とする付記１５記載の充電機構。
【０１１９】
（付記１７）
付記１〜１５のいずれかに記載の充電機構を有することを特徴とする充電器。
【産業上の利用可能性】
【０１２０】
上記した実施形態では、本発明を携帯電話の充電機構に適用した場合について説明したが、本発明は何らこれに限定されることはなく、充電端子を介して接触充電を行う全ての機器に適用できる。
【符号の説明】
【０１２１】
１      充電端子回転手段
１ａ    回転ベース回転手段
３      本体
５      傾斜部
７      充電端子
７ａ    充電端子
１１    充電端子板
１３    上端面
１５    面取面
１７    一部接触部
２１    バネ
２３    上段歯車
２５    下段歯車
２７    中段歯車
２９    第１鋸歯状カム
３１    第３鋸歯状カム
３３    第４鋸歯状カム
３７    第２鋸歯状カム
４１    回転ベース
４３    回転ベース上段歯車
４５    回転ベース下段歯車
４７    回転ベース中段歯車
４９    回転ベース第１鋸歯状カム
５１    回転ベース第３鋸歯状カム
５３    回転ベース第４鋸歯状カム
５７    回転ベース第２鋸歯状カム
５９    バネ
７１    接触位置
７３    接触位置
７５    クリーニングエリア
１００  充電機構
１００ａ  充電機構
２００  装置側充電部
【図１】
0005448194.tif 000002
【図２】
0005448194.tif 000003
【図３】
0005448194.tif 000004
【図４】
0005448194.tif 000005
【図５】
0005448194.tif 000006
【図６】
0005448194.tif 000007
【図７】
0005448194.tif 000008
【図８】
0005448194.tif 000009
【図９】
0005448194.tif 000010
【図１０】
0005448194.tif 000011
【図１１】
0005448194.tif 000012
【図１２】
0005448194.tif 000013
【図１３】
0005448194.tif 000014
【図１４】
0005448194.tif 000015
【図１５】
0005448194.tif 000016
【図１６】
0005448194.tif 000017
【図１７】
0005448194.tif 000018
【図１８】
0005448194.tif 000019